(57)【要約】【課題】保証書の紛失を防止でき、保管性のよい収納袋を提供する。【解決手段】取扱説明書等を収納する封筒状の収納袋１０であって、表面に保証書印刷部１８が形成され、この保証書印刷部１８に保証書に記載すべき事項が印刷される。収納袋１０は、取扱説明書等を収納する袋として機能するとともに、保証書として機能する。【選択図】      図３
2005306442.tif 000002
【特許請求の範囲】
【請求項１】
商品の説明書類を収納する収納袋であって、封筒状に形成され、表面に前記商品の保証書に記載すべき事項が印刷されたことを特徴とする収納袋。
【請求項２】
折り曲げて開口部を閉じるためのフラップを有し、該フラップに前記商品のシリアルナンバーを印字するためのシリアルナンバー印字部が形成されるとともに、該シリアルナンバー印字部がミシン目によって切り取り可能に形成されることを特徴とする請求項１に記載の収納袋。
【請求項３】
商品の説明書類を収納する収納袋であって、封筒状に形成され、表面に前記商品の保証書に記載すべき事項が印刷されたラベルが貼付されたことを特徴とする収納袋。
【請求項４】
折り曲げて開口部を閉じるためのフラップを有し、該フラップが前記ラベルで封止されることを特徴とする請求項３に記載の収納袋。
【請求項５】
前記ラベルにミシン目を介して切り離し可能な封止部を有し、該封止部で前記フラップが封止されるとともに、該封止部に前記商品のシリアルナンバーが印字されることを特徴とする請求項４に記載の収納袋。
【請求項６】
前記ラベルに前記商品のシリアルナンバーを印字するためのシリアルナンバー印字部が形成され、該シリアルナンバー印字部の裏面に非粘着部が形成されるとともに、該シリアルナンバー印字部がミシン目によって切り取り可能に形成されることを特徴とする請求項３又は４に記載の収納袋。
【発明の詳細な説明】
【技術分野】
【０００１】
本発明は収納袋に係り、特に商品に添付される取扱説明書等の説明書類を収納するための収納袋に関する。
【背景技術】
【０００２】
カメラを含め通常の商品は、販売時に所定の箱に梱包されて消費者に引き渡される。この箱には、商品の他に取扱説明書や保証書等が収容される。通常、これらの取扱説明書や保証書等は、箱から取り出した後、それぞれ商品とは別の場所で保管される。
【０００３】
しかしながら、このように商品とは別に取扱説明書や保証書等を保管しておくと、長い年月の間に保管場所が分からなくなってしまったり、捨ててしまうことがある。特に、保証書は葉書大の紙片で構成されていることが多く、紛失しやすいという問題がある。
【０００４】
そこで、特許文献１では、商品を梱包する箱又は袋に商品を保証するための保証項目を印刷した保証書印刷部を設けることが提案されている。
【０００５】
また、特許文献２では、チャックを有する袋の内部に仕切りを設け、一方に商品、他方に説明書や保証書等を収容できるようにすることが提案されている。
【特許文献１】特開平８−７２８８２号公報
【特許文献２】実用新案登録第３０８２８４０号公報
【発明の開示】
【発明が解決しようとする課題】
【０００６】
しかしながら、上記特許文献１のように、商品を梱包する箱又は袋に商品を保証するための保証項目を印刷すると、商品を梱包する箱又は袋自体を保管しなければならないため、保管性が悪いという欠点がある。
【０００７】
また、上記特許文献２のように、商品と同じ袋に入れて保証書等を保管する方法は、適用できる商品が限定されてしまうという欠点がある。
【０００８】
本発明は、このような事情に鑑みてなされたもので、保証書の紛失を防止でき、保管性のよい収納袋を提供することを目的とする。
【課題を解決するための手段】
【０００９】
請求項１に係る発明は、前記目的を達成するために、商品の説明書類を収納する収納袋であって、封筒状に形成され、表面に前記商品の保証書に記載すべき事項が印刷されたことを特徴とする収納袋を提供する。
【００１０】
本発明によれば、封筒状に形成された収納袋の表面に保証書に記載すべき事項が印刷される。すなわち、商品の説明書類を収納する収納袋が保証書を兼ねている。これにより、商品の説明書類と共に保証書が保管されるようになり、保管時の紛失を効果的に防止することができる。また、別途、保証書を製造する必要がなくなり、コスト削減を図ることができる。
【００１１】
また、請求項２に係る発明は、前記目的を達成するために、折り曲げて開口部を閉じるためのフラップを有し、該フラップに前記商品のシリアルナンバーを印字するためのシリアルナンバー印字部が形成されるとともに、該シリアルナンバー印字部がミシン目によって切り取り可能に形成されることを特徴とする請求項１に記載の収納袋を提供する。
【００１２】
本発明によれば、収納袋の開口部を閉じるためのフラップに商品のシリアルナンバーを印字するためのシリアルナンバー印字部が形成されており、そのシリアルナンバー印字部がミシン目によって切り取り可能にされている。
【００１３】
また、請求項３に係る発明は、前記目的を達成するために、商品の説明書類を収納する収納袋であって、封筒状に形成され、表面に前記商品の保証書に記載すべき事項が印刷されたラベルが貼付されたことを特徴とする収納袋を提供する。
【００１４】
本発明によれば、封筒状に形成された収納袋の表面に保証書に記載すべき事項が印刷されたラベルが貼付される。この場合も、商品の説明書類を収納するための収納袋が保証書を兼ね、保管時の紛失を効果的に防止することができる。
【００１５】
また、請求項４に係る発明は、前記目的を達成するために、折り曲げて開口部を閉じるためのフラップを有し、該フラップが前記ラベルで封止されることを特徴とする請求項３に記載の収納袋を提供する。
【００１６】
本発明によれば、保証書に記載すべき事項が印刷されたラベルが収納袋の封を兼ねている。これにより、別途、フラップを封止する手段（テープや糊）が不要になり、製造コストを削減することができる。
【００１７】
また、請求項５に係る発明は、前記目的を達成するために、前記ラベルにミシン目を介して切り離し可能な封止部を有し、該封止部で前記フラップが封止されるとともに、該封止部に前記商品のシリアルナンバーが印字されることを特徴とする請求項４に記載の収納袋を提供する。
【００１８】
本発明によれば、ラベルに封止部が形成されており、この封止部で収納袋のフラップが封止される。また、この封止部には、商品のシリアルナンバーが印字され、ミシン目を介して切り取れるようになっている。これにより、別途、フラップを封止する手段が不要になり、製造コストを削減することができるとともに、販売店側で販売した商品の管理が容易になる。
【００１９】
また、請求項６に係る発明は、前記目的を達成するために、前記ラベルに前記商品のシリアルナンバーを印字するためのシリアルナンバー印字部が形成され、該シリアルナンバー印字部の裏面に非粘着部が形成されるとともに、該シリアルナンバー印字部がミシン目によって切り取り可能に形成されることを特徴とする請求項３又は４に記載の収納袋を提供する。
【００２０】
本発明によれば、ラベルに商品のシリアルナンバーを印字するためのシリアルナンバー印字部が形成されており、そのシリアルナンバー印字部がミシン目によって切り取り可能にされている。
【発明の効果】
【００２１】
本発明に係る収納袋によれば、保管時における、保証書の紛失を効果的に防止することができる。
【発明を実施するための最良の形態】
【００２２】
以下、添付図面に従って本発明に係る収納袋を実施するための最良の形態について説明する。
【００２３】
図１に示すように、本発明に係る収納袋１０は、商品（ここでは、デジタルカメラ）の取扱説明書１や他の付属書類２、ＣＤ−ＲＯＭ３等を収納する袋として構成され、図２に示すように、商品４と共に箱５に梱包されて、消費者に提供される。
【００２４】
図３、図４は、それぞれ第１の実施の形態の収納袋を表側から見た斜視図と裏側から見た斜視図である。
【００２５】
同図に示すように、本実施の形態の収納袋１０は、紙によって四角い封筒状に形成されており、その上端部に開口部１２が形成されている。開口部１２は、収納袋１０の表側の上辺に一体形成されたフラップ１４を裏側に折り曲げることにより閉じられ、折り曲げられたフラップ１４は、その中央部を封止シール１６で収納袋１０の裏面に貼り付けることにより、封止される。
【００２６】
収納袋１０の表側には、図３に示すように、ほぼ中央位置に保証書印刷部１８が形成されており、この保証書印刷部１８に保証書に記載する事項が印刷されている。すなわち、保証規定や保証期間、商品名（型名）等の他、購入日（お買い上げ日）を記入するための購入日記入欄、購入者の住所、氏名、電話番号等を記入するための購入者記入欄、販売店の住所、店名、電話番号等を記入する販売店記入欄等が印刷されている。
【００２７】
また、フラップ１４の両端コーナー部には、図４に示すように、それぞれシリアルナンバー印字部２０が形成されている。このシリアルナンバー印字部２０には、それぞれ商品４に付されたシリアルナンバーが印字されており、周縁に沿って形成されたミシン目２２によって切り取り可能にされている。
【００２８】
以上のように構成された第１の実施の形態の収納袋１０の作用は次のとおりである。
【００２９】
上述したように、収納袋１０には、商品４に添付される取扱説明書１や付属書類２、ＣＤ−ＲＯＭ３等が収納され（図１参照）、封止シール１６でフラップ１４を封止された状態で商品４と共に箱５に梱包される。
【００３０】
商品販売時、販売店側は箱５から収納袋１０を取り出し、保証書印刷部１８に印刷された販売店記入欄に所定事項を記入するとともに、購入日記入欄に販売日を記入する。
【００３１】
また、必要に応じてフラップ１４からシリアルナンバー印字部２０を切り取る。切り取ったシリアルナンバー印字部２０は、販売店側が保管し、後日、修理依頼等があった場合に、自店で販売したものか否かを照合する手立て等に役立てる。
【００３２】
保証書印刷部１８に所定事項を記入した収納袋１０は、再び箱５に戻し、商品購入者に引き渡す。
【００３３】
商品購入者は、商品４と共に収納袋１０を箱５から取り出し、保管する。取扱説明書１等を参照する場合は、収納袋１０から取り出して参照し、参照後は再び収納袋１０に戻して保管する。
【００３４】
通常、取扱説明書１は、廃棄することなく、分かりやすいところに保管されるため、このように保証書が一体となった収納袋１０に取扱説明書１を入れて保管することにより、保証書も紛失することなく保管することができる。
【００３５】
また、袋であるので場所も取らず、取扱説明書１を含め、付属書類２等をまとめて保管できるため、保管性も向上させることができる。
【００３６】
また、メーカー側も別途保証書を製作する必要がなくなり、製造コストを削減することができる。
【００３７】
なお、本実施の形態では、収納袋１０の表側の面に保証書印刷部１８を形成しているが、保証書印刷部１８を形成する位置は、これに限定されるものではなく、たとえば、収納袋１０の裏側面に形成してもよい。
【００３８】
また、本実施の形態では、収納袋１０の材質として紙を使用しているが、収納袋１０の材質は、表面に印刷でき、ペン等で記入できるものであれば、これに限定されるものではない。
【００３９】
また、本実施の形態では、収納袋１０に収納するものとして、商品の取扱説明書１の他、付属書類２、ＣＤ−ＲＯＭ３等を挙げているが、少なくとも商品の取扱説明書１を収納するものであればよく、他の書類等は別の収納袋に収納してもよい。
【００４０】
図５は、本発明に係る収納袋の第２の実施の形態を示す背面斜視図である。
【００４１】
上述した第１の実施の形態では、保証書に記載すべき事項が直接収納袋１０に印刷されていたが、本実施の形態では、保証書に記載すべき事項が印刷されたラベル（保証書ラベル）３２が、収納袋３０に貼付されている。なお、上述した第１の実施の形態の収納袋１０と同じ構成要素については、同じ符号が付されている。
【００４２】
保証書ラベル３２は、保証書に印刷すべき事項、すなわち、保証規定や保証期間、商品名（型名）等の他、購入日（お買い上げ日）を記入するための購入日記入欄、購入者の住所、氏名、電話番号等を記入するための購入者記入欄、販売店の住所、店名、電話番号当を記入する販売店記入欄等が印刷されており、収納袋３０の裏側（表側でも可）の面に貼付されている。
【００４３】
このように、保証書ラベル３２が貼付された収納袋３０は、上述した第１の実施の形態の収納袋１０と同じように作用し、保証書を紛失することなく保管することができる。
【００４４】
図６は、本発明に係る収納袋の第３の実施の形態を示す背面斜視図である。
【００４５】
本実施の形態の収納袋４０は、保証書に記載すべき事項が印刷された保証書ラベル４２が、収納袋４０に貼付される点で上述した第２の実施の形態の収納袋３０と共通している。本実施の形態の収納袋４０では、保証書ラベル４２の裏面に塗布される粘着剤に粘着力の弱いものが用いられており、保証書ラベル４２が収納袋４０に対して剥離／再貼着可能に貼付されている。この保証書ラベル４２が剥離／再貼着可能な性質を利用して、本実施の形態の収納袋４０では、保証書ラベル３２がフラップ１４の封止に用いられている。これにより、別途封止シールを用いてフラップ１４を封止する必要がなくなり、製造コストを削減することができる。
【００４６】
図７は、本発明に係る収納袋の第４の実施の形態を示す背面斜視図である。
【００４７】
本実施の形態の収納袋５０は、粘着力の弱い粘着材を用いることによって、保証書ラベル５２が収納袋５０に対して剥離／再貼着可能に貼付されている点で上述した第３の実施の形態の収納袋４０と共通しており、保証書ラベル５２によってフラップ１４が封止される。この第４の実施の形態の収納袋５０には、保証書ラベル５２の左上隅と左下隅にシリアルナンバー印字部５４が形成されており、この保証書ラベル５２に形成されたシリアルナンバー印字部５４に商品のシリアルナンバーが印字されている。
【００４８】
保証書ラベル５２に形成されたシリアルナンバー印字部５４は、上述した第１の実施の形態の収納袋１０に形成されたシリアルナンバー印字部２０と同様に周縁に沿って形成されたミシン目５６によって保証書ラベル５２から切り離せるようにされている。
【００４９】
また、このシリアルナンバー印字部５４の裏面は、粘着材が塗布されていない非粘着部とされており、シリアルナンバー印字部５４を容易に切り離せるようにされている。
【００５０】
販売店側は、この保証書ラベル５２に形成されたシリアルナンバー印字部５４を保証書ラベル５２から切り取り、保管する。
【００５１】
なお、本例では保証書ラベル５２の裏面に塗布する粘着材に粘着力が弱いものを用いて、保証書ラベル５２を収納袋５０に剥離／再貼着可能にすることにより、保証書ラベル５２でフラップ１４を封止するようにしているが、粘着力の強い粘着材を用いて保証書ラベル５２を収納袋５０に強固に貼り付けてもよい。この場合もシリアルナンバー印字部５４の裏面は非粘着部とする。
【００５２】
また、本実施の形態では、保証書ラベル５２にシリアルナンバー印字部５４が形成されることから、収納袋５０のフラップ１４には、シリアルナンバー印字部を形成する必要はない。
【００５３】
図８は、本発明に係る収納袋の第５の実施の形態を示す背面斜視図である。
【００５４】
本実施の形態の収納袋６０は、保証書に記載すべき事項が印刷された保証書ラベル６２が、収納袋６０に貼付されている点で上述した第２の実施の形態の収納袋３０と共通している。本実施の形態の収納袋６０では、保証書ラベル６２に封止部６４が一体的に形成されており、この封止部６４でフラップ１４が封止される。
【００５５】
封止部６４は、保証書ラベル６２の上辺部中央に突出して形成されており、保証書ラベル６２との接合部に沿って形成されたミシン目６６によって保証書ラベル６２から切り離せるようにされている。
【００５６】
なお、この切り離しを容易にするため、封止部６４は、その裏面に塗布される粘着材に粘着力が弱いものを用いることが好ましい。
【００５７】
また、この封止部６４には、表面にシリアルナンバーが印字され、保証書ラベル６２から切り離した後、販売店側で保管して、後日、修理依頼等があった場合に、自店で販売したものか否かを照合する手立て等に役立てることができるようにされている。
【００５８】
このように、保証書ラベル６２に一体的に形成した封止部６４でフラップ１４を封止することにより、別途、封止シールを用いてフラップ１４を封止する必要がなくなり、製造コストを削減することができる。
【図面の簡単な説明】
【００５９】
【図１】本発明に係る収納袋の使用形態の説明図
【図２】本発明に係る収納袋の使用形態の説明図
【図３】第１の実施の形態の収納袋の構成を示す正面斜視図
【図４】第１の実施の形態の収納袋の構成を示す背面斜視図
【図５】第２の実施の形態の収納袋の構成を示す背面斜視図
【図６】第３の実施の形態の収納袋の構成を示す背面斜視図
【図７】第４の実施の形態の収納袋の構成を示す背面斜視図
【図８】第５の実施の形態の収納袋の構成を示す背面斜視図
【符号の説明】
【００６０】
１…取扱説明書、２…付属書類、３…ＣＤ−ＲＯＭ、４…商品、５…箱、１０…収納袋、１２…開口部、１４…フラップ、１６…封止シール、１８…保証書印刷部、２０…シリアルナンバー印字部、２２…ミシン目、３０…収納袋、３２…保証書ラベル、４０…収納袋、４２…保証書ラベル、５０…収納袋、５２…保証書ラベル、５４…シリアルナンバー印字部、５６…ミシン目、６０…収納袋、６２…保証書ラベル、６４…封止部、６６…ミシン目
【図１】
2005306442.tif 000003
【図２】
2005306442.tif 000004
【図３】
2005306442.tif 000005
【図４】
2005306442.tif 000006
【図５】
2005306442.tif 000007
【図６】
2005306442.tif 000008
【図７】
2005306442.tif 000009
【図８】
2005306442.tif 000010